(57)【要約】【課題】容易に所望のサイトに端末をアクセスさせる。【解決手段】情報通信システム１において、送信端末１０は、所定のサイトのＵＲＬ（Uniform Resource Locator）を音声信号に変換して、出力（再生）する。スマートフォン等である受信端末２０は、送信端末から再生された音声信号を受信し、受信した音声信号を変換してＵＲＬを取得する。そして、受信端末２０は、ＵＲＬが示す所定のサイトに、インターネットを介してアクセスする。【選択図】図１
2013127761.tif 000002
【特許請求の範囲】
【請求項１】
第１の端末と第２の端末とを備える情報通信システムであって、
前記第１の端末は、
サイトのＵＲＬ（Uniform Resource Locator）を音声信号に変換する音声信号変換手段と、
前記変換した音声信号を出力する音声出力手段と、を備え、
前記第２の端末は、
前記第１の端末から音声信号を受信する音声信号受信手段と、
前記受信した音声信号から前記ＵＲＬを取得するＵＲＬ取得手段と、
前記取得したＵＲＬが示す前記サイトにアクセスするサイトアクセス手段と、
を備えることを特徴とする情報通信システム。
【請求項２】
前記音声信号変換手段は、
前記サイトのＵＲＬを短縮ＵＲＬに変換する短縮ＵＲＬ変換手段を備え、
前記変換した短縮ＵＲＬを音声信号に変換する、
ことを特徴とする、請求項１に記載の情報通信システム。
【請求項３】
音声信号変換手段は、前記第１の端末で閲覧中のサイトのＵＲＬを音声信号に変換する、
ことを特徴とする、請求項１又は２に記載の情報通信システム。
【請求項４】
サイトのＵＲＬ（Uniform Resource Locator）を音声信号に変換する音声信号変換手段と、
前記変換した音声信号を出力する音声出力手段と、
を備えることを特徴とする端末。
【請求項５】
音声信号を受信する音声信号受信手段と、
前記受信した音声信号からＵＲＬ（Uniform Resource Locator）を取得するＵＲＬ取得手段と、
前記取得したＵＲＬが示すサイトにアクセスするサイトアクセス手段と、
を備えることを特徴とする端末。
【請求項６】
コンピュータを、
サイトのＵＲＬ（Uniform Resource Locator）を音声信号に変換する音声信号変換手段、
前記変換した音声信号を出力する音声出力手段、
として機能させるプログラム。
【請求項７】
コンピュータを、
音声信号を受信する音声信号受信手段、
前記受信した音声信号からＵＲＬ（Uniform Resource Locator）を取得するＵＲＬ取得手段、
前記取得したＵＲＬが示すサイトにアクセスするサイトアクセス手段、
として機能させるプログラム。
【発明の詳細な説明】
【技術分野】
【０００１】
本発明は、情報通信システム、端末、及び、サーバに関する。
【背景技術】
【０００２】
パソコンで閲覧中のサイトやブックマークに登録しているサイトに、スマートフォン等の端末からもアクセスしたい場合がある。また、ユーザに商品の宣伝用サイトのＵＲＬ（Uniform Resource Locator）の記載された広告を配布し、ユーザの端末から商品の宣伝用サイトにアクセスしてもらうことも一般的に行われている。この様な場合、ユーザは、タッチパネル等を操作して、端末のブラウザにサイトのＵＲＬを入力する必要があった。
【０００３】
ＵＲＬを入力する手間を軽減するため、ＵＲＬをメールで端末に送ったり、ＵＲＬを２次元コード化することが考えられる。例えば、特許文献１には、広告媒体に印刷されたＱＲコード（登録商標）に商品のＷｅｂページへアクセスするためのＵＲＬを記憶させておく。そして、ユーザの携帯電話にこのＱＲコード（登録商標）を読み取らせて、読み取ったＵＲＬが示すサイトにアクセスする。
【先行技術文献】
【特許文献】
【０００４】
【特許文献１】特開２００７−３２８５５２号公報
【発明の概要】
【発明が解決しようとする課題】
【０００５】
ＵＲＬをメールで送る場合、ＵＲＬ付きのメールを作成して端末に送信し、端末で受信したメール内のＵＲＬをコピーしてブラウザの所定欄に貼り付ける一連の作業が必要であり、依然としてユーザにとっては面倒であった。
【０００６】
また、ＵＲＬを２次元コード化して送信する場合は、カメラを備えていない２次元コード読取機能が無い端末では読み取ることができなかった。また、２次元コードを印刷した媒体を準備する必要があり面倒であった。
【０００７】
本発明は、上記実情に鑑みてなされたものであり、容易に所望のサイトに端末をアクセスさせることが可能な情報通信システム等を提供することを目的とする。
【課題を解決するための手段】
【０００８】
上記目的を達成するため、本発明の第１の観点に係る情報通信システムは、
第１の端末と第２の端末とを備える情報通信システムであって、
前記第１の端末は、
サイトのＵＲＬ（Uniform Resource Locator）を音声信号に変換する音声信号変換手段と、
前記変換した音声信号を出力する音声出力手段と、を備え、
前記第２の端末は、
前記第１の端末から音声信号を受信する音声信号受信手段と、
前記受信した音声信号から前記ＵＲＬを取得するＵＲＬ取得手段と、
前記取得したＵＲＬが示す前記サイトにアクセスするサイトアクセス手段と、
を備えることを特徴とする。
【０００９】
前記音声信号変換手段は、
前記サイトのＵＲＬを短縮ＵＲＬに変換する短縮ＵＲＬ変換手段を備え、
前記変換した短縮ＵＲＬを音声信号に変換してもよい。
【００１０】
音声信号変換手段は、前記第１の端末で閲覧中のサイトのＵＲＬを音声信号に変換してもよい。
【００１１】
上記目的を達成するため、本発明の第２の観点に係る端末は、
サイトのＵＲＬ（Uniform Resource Locator）を音声信号に変換する音声信号変換手段と、
前記変換した音声信号を出力する音声出力手段と、
を備えることを特徴とする。
【００１２】
上記目的を達成するため、本発明の第３の観点に係る端末は、
音声信号を受信する音声信号受信手段と、
前記受信した音声信号からＵＲＬ（Uniform Resource Locator）を取得するＵＲＬ取得手段と、
前記取得したＵＲＬが示すサイトにアクセスするサイトアクセス手段と、
を備えることを特徴とする。
【００１３】
上記目的を達成するため、本発明の第４の観点に係るプログラムは、
コンピュータを、
サイトのＵＲＬ（Uniform Resource Locator）を音声信号に変換する音声信号変換手段、
前記変換した音声信号を出力する音声出力手段、
として機能させる。
【００１４】
上記目的を達成するため、本発明の第５の観点に係るプログラムは、
コンピュータを、
音声信号を受信する音声信号受信手段、
前記受信した音声信号からＵＲＬ（Uniform Resource Locator）を取得するＵＲＬ取得手段、
前記取得したＵＲＬが示すサイトにアクセスするサイトアクセス手段、
として機能させる。
【発明の効果】
【００１５】
本発明によれば、送信側がＵＲＬを音声変換して出力することにより、容易に所望のサイトに受信側の端末をアクセスさせることが可能となる。
【図面の簡単な説明】
【００１６】
【図１】本発明の実施形態に係る情報通信システムの構成を示す図である。
【図２】送信端末の構成を示すブロック図である。
【図３】受信端末の構成を示すブロック図である。
【図４】サイトアクセス処理の動作を説明するためのフローチャートである。
【図５】送信端末の表示部に表示されるＵＲＬ入力画面の例を示す図である。
【図６】再生ボタンが配置されたブラウザの画面の例を示す図である。
【発明を実施するための形態】
【００１７】
以下、本発明の実施形態について、図面を参照しながら詳細に説明する。なお、図中同一または相当部分には同一符号を付す。
【００１８】
本発明の一実施形態に係る情報通信システム１は、図１に示すように、送信端末１０（第１の端末）と受信端末２０（第２の端末）とを備える。情報通信システム１は、送信端末１０が近くに位置する受信端末２０に音声信号を送信することにより、受信端末２０を特定のインターネットサイト（以下、単にサイトとする）に誘導（アクセス）させる機能を有する。
【００１９】
送信端末１０は、ＰＣ（Personal Computer）等の情報処理装置である。送信端末は、図２に示すように、操作部１１と、表示部１２と、発音部１３と、記憶部１４と、制御部１５とを備える。
【００２０】
操作部１１は、送信端末１０を使用するユーザからの操作を受け付けるものであり、キーボードやマウス等を備える。操作部１１は、キーボードやマウスが操作されると操作に対応する操作信号を制御部１５に供給する。
【００２１】
表示部１２は、制御部１５から供給される各種画像データや各種画面データ等に基づいて各種画像や各種画面等を表示するものである。例えば、表示部１２には、音声信号に変換して送信したいＵＲＬを入力するための画面（ＵＲＬ入力画面）が表示される。
【００２２】
発音部１３は、スピーカ等によって構成され、制御部１５の指示に基づいて、音声信号を出力（再生）する。
【００２３】
記憶部１４は、ＲＡＭ（Random Access Memory）、ＲＯＭ（Read Only Memory）、及び、ハードディスク装置等を備え、各種のデータ、ブラウザ、制御部１５が実行するためのプログラム、及び、後述するＵＲＬ送信用アプリケーション等を記憶する。また、記憶部１４は、制御部１５が処理を実行するためのワークエリアとして機能する。
【００２４】
また、記憶部１４は、数字やアルファベットなどのビット文字を音声に変換（又は、逆変換）するための変換テーブル１４１を記憶する。具体的には、変換テーブル１４１には、各ビット文字と該ビット文字に対応する音とを定義する情報（周波数等）とが対応付けられて記憶されている。
【００２５】
制御部１５は、例えば、ＣＰＵ（Central Processing Unit）等を備え、送信端末１０の各部を制御する。また、制御部１５は、ユーザによって入力されたＵＲＬを、変換テーブルを参照して、音声信号に変換する。そして、制御部１５は、変換した音声信号を、発音部１３から出力（再生）させる。
【００２６】
続いて、受信端末２０について説明する。受信端末２０は、例えば、スマートフォン等の携帯端末である。受信端末２０は、図３に示すように、通信部２１と、タッチパネル２２と、集音部２３と、記憶部２４と、制御部２５とを備える。
【００２７】
通信部２１は、ＮＩＣ（Network Interface Card）等の通信インターフェースによって構成される。通信部２１は、制御部２５の指示に基づいて、インターネットを介して各種のサイトにアクセスする。
【００２８】
タッチパネル２２は、ＬＣＤ（Liquid Crystal Display）やタッチパッド等を備え、各種の画像を表示するとともに、ユーザが画面に触れた位置情報を感知して、制御部２５に送信する。
【００２９】
集音部２３は、集音マイクによって構成される。集音部２３は、制御部２５の制御のもと、周囲の音を集音し、集音した音に所定の信号処理等を施した音信号を制御部２５に供給する。例えば、集音部２３は、送信端末１０から出力された音声信号を集音する。
【００３０】
記憶部２４は、ＲＡＭ、ＲＯＭ、及び、ハードディスク装置等を備え、各種のデータ、ブラウザ、制御部２５が実行するためのプログラム、及び、後述するＵＲＬ受信用アプリケーション等を記憶する。また、記憶部２４は、送信端末１０の記憶部１４に記憶されている変換テーブル１４１と実質的に同一の内容の変換テーブル２４１を記憶する。
【００３１】
制御部２５は、例えば、ＣＰＵ（Central Processing Unit）等を備え、受信端末２０の各部を制御する。また、制御部２５は、集音部２３が送信端末１０から受信した音声信号をＵＲＬに変換する。そして、制御部２５は、通信部２１を制御して、変換したＵＲＬが示すサイトにアクセスする。
【００３２】
（サイトアクセス処理）
続いて、情報通信システム１で実施されるサイトアクセス処理について、図４のフローチャートを用いて説明する。
【００３３】
まず、送信端末１０のユーザは、操作部１１から、ＵＲＬ送信用アプリケーションを起動させるための所定の操作を行う。この操作に応答して、端末１０の制御部１５は、ＵＲＬ送信用アプリケーションを起動し、図５に示すようなＵＲＬ入力画面を表示部１２に表示させる（ステップＳ１１）。そして、送信端末１０のユーザは、操作部１１を操作して、このＵＲＬ入力画面の所定欄に、受信端末２０にアクセスさせたいサイトのＵＲＬを入力する。
【００３４】
なお、ＵＲＬ入力画面の「ブックマークから選択」ボタンをクリックして、送信端末１０のブラウザのブックマークに登録されているサイトから１つをユーザに選択させ、選択されたサイトのＵＲＬを制御部１５がＵＲＬ入力画面の所定欄に入力してもよい。
【００３５】
ＵＲＬの入力が完了すると、ユーザは、操作部１１を操作して、ＵＲＬ入力画面上の「ＵＲＬ送信」ボタンをクリックする。この操作に応答して、制御部１５は、変換テーブル１４１を参照して、入力されたＵＲＬを構成する各文字（ビット文字）を音声信号に変換する（ステップＳ１２）。
なお、ＵＲＬを音声信号に変換する際、ＵＲＬの定型句以外の部分のみを音声信号に変換してもよい。例えば、「ｈｔｔｐ：／／ａｂｃ．ｃｏ．ｊｐ」というＵＲＬであれば、「ａｂｃ．ｃｏ．ｊｐ」の部分のみを、音声信号に変換すればよい。
【００３６】
続いて、送信端末１０の制御部１５は、発音部１３から、変換した音声信号を出力（再生）する（ステップＳ１３）。例えば、制御部１５は、ＵＲＬの各文字を変換した音声信号を、１音ずつ所定の時間間隔で順に発音部１３から再生すればよい。なお、ＵＲＬを音声化した音声信号を再生する際に、最初に、これから再生する音声がＵＲＬであることを示すヘッダーとなる特定周波数の音声を再生してもよい。また、ＵＲＬの各文字を音声化して再生する各音声信号の間に、各文字の区切りを示す特定周波数の音声信号を再生してもよい。
【００３７】
一方、受信端末２０においては、ユーザからの所定の操作に応答して、制御部２５はＵＲＬ受信用アプリケーションを起動し、「音声を聞かせてＵＲＬを受信して下さい。」等のメッセージが表示されたＵＲＬ受信画面をタッチパネル２２に表示させる（ステップＳ２１）。そして、ユーザは、送信端末１０から出力される音声信号を受信可能な位置に、ＵＲＬ受信用アプリケーションが起動した状態の受信端末２０を近づける。
【００３８】
そして、送信端末１０から音声信号が出力され、受信端末２０の集音部２３がそれを受信すると（ステップＳ２２；Ｙｅｓ）、制御部２５は、変換テーブル２４１を用いて受信した音声信号をビット文字列に変換することにより、受信した音声データからＵＲＬを取得する（ステップＳ２３）。
【００３９】
そして、制御部２５は、ブラウザを起動して、取得したＵＲＬが示すサイトにアクセスする（ステップＳ２４）。例えば、制御部２５は、ＵＲＬが示すサイトの画面をタッチパネル２２に表示させたり、サイトで定義されている各種の処理を実行する。以上でサイトアクセス処理は終了する。
【００４０】
このように、本情報通信システム１によれば、送信端末１０は、ＵＲＬを音声信号に変換して再生する。そして、受信端末２０が、その音声信号からＵＲＬを取得し、ＵＲＬが示すサイトにアクセスする。従って、本情報通信システム１によれば、所望のサイトに端末を容易にアクセスさせることが可能となる。
【００４１】
（変形例１）
なお、上記実施形態は、種々の変形、および、応用が可能である。
例えば、上記実施形態では、サイトアクセス処理において、送信端末１０がユーザから入力されたＵＲＬを音声信号に変換して出力（再生）した。しかしながら、送信端末１０が入力されたＵＲＬをインターネット等を介して外部のサーバに送信し、サーバが受信したＵＲＬを音声信号に変換して返信し、送信端末１０が返信された音声信号を出力（再生）してもよい。この場合、ＵＲＬを音声化する処理はサーバで代行されるため、送信端末１０は変換テーブル１４１を保持する必要がなく、記憶部１４の容量を節約することが可能となる。
【００４２】
（変形例２）
また、上記実施形態では、サイトアクセス処理において、送信端末１０がユーザから入力されたＵＲＬを音声信号に変換して出力（再生）した。しかし、送信端末１０が、公知の手法（アルゴリズム）を用いて入力されたＵＲＬから短縮ＵＲＬを作成し、短縮ＵＲＬを音声信号に変換して出力してもよい。この場合でも、受信端末２０は、受信した短縮ＵＲＬ先からリダイレクトすることにより、所望のサイトにアクセスすることが可能となる。また、この場合、短縮されていないＵＲＬよりも少ない文字数からなる短縮ＵＲＬを音声化するため、音声化に要する時間の短縮や、音声化の精度を向上させることが可能となる。
なお、ＵＲＬを外部のサーバにインターネット等を介して送信し、サーバがＵＲＬから短縮ＵＲＬを作成する処理を代行してもよい。
【００４３】
（変形例３）
また、上記実施形態では、送信端末１０において、ユーザがＵＲＬ入力画面上からＵＲＬを入力し、入力が完了した際にＵＲＬを音声化して出力した。しかしながら、どのようなＵＲＬをどのようなタイミングで音声化して出力するかは任意である。例えば、事前の設定等により、送信端末１０から、所定のサイトのＵＲＬを音声化した音声信号を繰り返し再生させ、送信端末１０に近接された受信端末２０を所定のサイトにアクセスさせてもよい。
【００４４】
（変形例４）
また、送信端末１０で閲覧中のサイトのＵＲＬを音声信号に変換して出力することにより、受信端末２０にＵＲＬを送信してもよい。例えば、図６に示すように、ブラウザの画面に再生ボタンを配置する。そして、ユーザが操作部１１を操作して再生ボタンをクリックした際に、制御部１５が、ブラウザの画面に表示されているサイト（この例では○×サイト）のＵＲＬを音声信号に変換して発音部１３から出力させる。そして、受信端末２０の制御部２５が、集音部２３によって受信した音声信号をＵＲＬに変換して、ＵＲＬが示すサイト（この例では○×サイト）にアクセスしてもよい。このようにすることで、現在パソコン（送信端末１０）等で閲覧中のサイトを、スマートフォン（受信端末２０）等からも容易に閲覧することが可能となるため、より利便性を向上させることができる。
【００４５】
（その他の変形例）
なお、送信端末１０は、ＰＣに限らず、リーダライタ、スマートフォン、携帯電話、ＰＤＡ（Personal Digital Assistant）等といった、音声信号を再生する機能を有する全ての装置を含む。
また、受信端末２０は、スマートフォンに限らず、携帯電話、ＰＤＡ、ＰＣ、リーダライタ等といった、音声信号を受信する機能と、インターネットにアクセスする機能とを有する全ての装置を含む。
【００４６】
また、例えば、本発明に係る送信端末１０、受信端末２０の動作を規定する動作プログラムを既存のパーソナルコンピュータや情報端末機器等に適用することで、当該パーソナルコンピュータ等を本発明に係る送信端末１０、受信端末２０として機能させることも可能である。
【００４７】
また、このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカードなどのコンピュータ読み取り可能な記録媒体に格納して配布してもよいし、インターネットなどの通信ネットワークを介して配布してもよい。
【００４８】
以上、本発明は、上記実施形態の説明および図面によって限定されるものではなく、上記実施形態および図面に適宜変更等を加えることは可能である。
【符号の説明】
【００４９】
１      情報通信システム
１０    送信端末
２０    受信端末
【図１】
2013127761.tif 000003
【図２】
2013127761.tif 000004
【図３】
2013127761.tif 000005
【図４】
2013127761.tif 000006
【図５】
2013127761.tif 000007
【図６】
2013127761.tif 000008